(57)【要約】      （修正有）【課題】ユーザに対して、ロコモティブシンドロームを改善するための行動を十分に促す。【解決手段】印字システムは、ユーザを識別するユーザ識別情報に対応付けられた、ロコモティブシンドロームに関するスコアの履歴を示す履歴情報を記憶する記憶装置と、この記憶装置にアクセス可能なホスト装置１０と、かつ、ユーザ識別情報が記録された印字媒体に情報を印字するプリンタ３０と、を含む。プリンタ３０またはホスト装置１０は、印字媒体に記録されたユーザ識別情報を読み取る読取手段を備え、読取手段によって読み取られたユーザ識別情報に対応付けられた履歴情報を参照して、スコアの履歴を示すグラフ画像を生成する生成手段を備える。プリンタ３０は、生成手段によって生成されたグラフ画像を印字媒体に印字する印字手段を備える。【選択図】図８
2016110170.tif 000002
【特許請求の範囲】
【請求項１】
ユーザを識別するユーザ識別情報に対応付けられた、ロコモティブシンドロームに関するスコアの履歴を示す履歴情報を記憶する記憶装置と、前記記憶装置にアクセス可能なホスト装置と、前記ホスト装置に接続され、かつ、前記ユーザ識別情報が記録された印字媒体に情報を印字するプリンタと、を含む印字システムにおいて、
前記プリンタまたは前記ホスト装置は、前記印字媒体に記録されたユーザ識別情報を読み取る読取手段を備え、
前記ホスト装置は、前記読取手段によって読み取られたユーザ識別情報に対応付けられた履歴情報を参照して、前記スコアの履歴を示すグラフ画像を生成する生成手段を備え、
前記プリンタは、
前記印字媒体に印字された情報を消去する消去手段と、
前記消去手段によって情報が消去された後に、前記生成手段によって生成されたグラフ画像を前記印字媒体に印字する印字手段と、を備える、
印字システム。
【請求項２】
前記ホスト装置は、さらに、
所定の質問に対するユーザの回答に応じて、前記スコアを計算する計算手段と、
前記計算手段によって計算されたスコアを用いて、前記回答を行ったユーザを識別するユーザ識別情報に対応付けられた履歴情報を更新する更新手段と、
を備える請求項１に記載の印字システム。
【請求項３】
前記記憶装置には、前記ユーザ識別情報に対応付けられた、ユーザの年齢を示す年齢情報が記憶されており、
前記生成手段は、前記読取手段によって読み取られたユーザ識別情報に対応する年齢情報を参照して、前記ユーザ識別情報によって識別されるユーザの年齢に応じた基準スコアを示す基準画像を含むグラフ画像を生成する、
請求項１または２に記載の印字システム。
【発明の詳細な説明】
【技術分野】
【０００１】
本発明は、ロコモティブシンドロームに関する情報を印字する印字システムに関する。
【背景技術】
【０００２】
「ロコモティブシンドローム」とは、運動器の障害によって運動機能の低下をきたした状態をいう。近年、運動機能の低下によって介護を受ける患者が増えている。それに伴い、ロコモティブシンドロームの対策が注目されている。
ロコモティブシンドロームのレベル（つまり、運動機能の低下の程度）は、公益社団法人  日本整形外科学会によって定められたテストの結果に基づいて決まるスコアによって決まる。ロコモティブシンドロームのレベルが高いほど、運動機能が低いことを示している。
ロコモティブシンドロームの対策としては、ロコモティブシンドロームのレベルを患者に知らせることによって、ロコモティブシンドロームを改善するための行動（例えば、運動）を促すことが有効である。
【０００３】
一般に、ロコモティブシンドロームのテストは、医療機関で行われている。医療機関は、ロコモティブシンドロームのテストの結果を患者に伝えることによって、ロコモティブシンドロームを改善するための行動（例えば、運動）を促している。
【０００４】
一方、印字された情報が書き換え可能なカード（以下「リライトカード」という）に、運動に関する情報を印字する技術が知られている（例えば、特許文献１）。特許文献１では、運動に関する情報として、歩行距離や、体重などの情報がリライトカードに印字される。このようなリライトカードは、医療機関においても利用されている。
【先行技術文献】
【特許文献】
【０００５】
【特許文献１】特開２００４−１２１５３０号公報
【非特許文献】
【０００６】
【非特許文献１】ロコモパンフレッット２０１４年度版（公益社団法人  日本整形外科学会）https://locomo-joa.jp/check/pdf/locomo_pf2014.pdf
【発明の概要】
【発明が解決しようとする課題】
【０００７】
従来、医療機関では、ロコモティブシンドロームに関するスコアを患者に伝えることは行われていたが、当該スコアの履歴を患者に伝えることは行われていない。したがって、患者は、スコアの変化を把握することは難しい。
【０００８】
また、特許文献１は、ロコモティブシンドロームに関するスコアの履歴を印字する技術ではないため、特許文献１のリライトカードを利用したとしても、患者に対して、ロコモティブシンドロームを改善するための行動を十分に促すことはできない。
【０００９】
本発明の目的は、上記課題を解決するものであり、患者に対して、ロコモティブシンドロームを改善するための行動を十分に促すことである。
【課題を解決するための手段】
【００１０】
本発明の一態様は、ユーザを識別するユーザ識別情報に対応付けられた、ロコモティブシンドロームに関するスコアの履歴を示す履歴情報を記憶する記憶装置と、前記記憶装置にアクセス可能なホスト装置と、前記ホスト装置に接続され、かつ、前記ユーザ識別情報が記録された印字媒体に情報を印字するプリンタと、を含む印字システムにおいて、
前記プリンタまたは前記ホスト装置は、前記印字媒体に記録されたユーザ識別情報を読み取る読取手段を備え、
前記ホスト装置は、前記読取手段によって読み取られたユーザ識別情報に対応付けられた履歴情報を参照して、前記スコアの履歴を示すグラフ画像を生成する生成手段を備え、
前記プリンタは、
前記印字媒体に印字された情報を消去する消去手段と、
前記消去手段によって情報が消去された後に、前記生成手段によって生成されたグラフ画像を前記印字媒体に印字する印字手段と、を備える、
印字システムである。
【発明の効果】
【００１１】
本発明によれば、患者に対して、ロコモティブシンドロームを改善するための行動を十分に促すことができる。
【図面の簡単な説明】
【００１２】
【図１】本実施形態の印字システムの構成を示す図。
【図２】本実施形態のホスト装置の構成を示すブロック図。
【図３】本実施形態のリライトカードの外観を示す概略図。
【図４】本実施形態のプリンタの外観を示す概略図。
【図５】本実施形態のプリンタの構成を示すブロック図。
【図６】本実施形態のユーザデータテーブルの構成例を示す図。
【図７】本実施形態の履歴データテーブルの構成例を示す図。
【図８】本実施形態の診断処理のシーケンス図。
【図９】本実施形態の診断処理において表示される画面の一例を示す図。
【図１０】本実施形態の診断処理においてリライトカードに印字される情報の一例を示す図。
【発明を実施するための形態】
【００１３】
（１）印字システムの構成（図１）
本実施形態の印字システムの構成について説明する。図１は、本実施形態の印字システムの構成を示す図である。
【００１４】
図１に示すように、印字システム１は、ホスト装置１０と、プリンタ３０と、を備える。
ホスト装置１０は、プリンタ３０と通信可能に接続されている。
【００１５】
ホスト装置１０は、所定の情報処理を実行し、かつ、プリンタ３０との間でデータの送受信を行う。例えば、ホスト装置１０は、パーソナルコンピュータ、ワークステーション、スマートフォン、タブレット端末などである。
【００１６】
プリンタ３０は、情報処理装置から送信されたデータを用いて、印字媒体に情報を印字する。例えば、印字媒体は、印字された情報の書き換えが可能なカード（以下「リライトカード」という）である。
【００１７】
（２）ホスト装置の構成（図２）
本実施形態のホスト装置の構成について説明する。図２は、本実施形態のホスト装置の構成を示すブロック図である。
【００１８】
図２に示すように、ホスト装置１０は、ＣＰＵ（Central Processing Unit）１１と、ＲＡＭ（Random Access Memory）１２と、ＲＯＭ（Read Only Memory）１３と、ストレージ１４と、操作部１５と、表示部１６と、通信インタフェース１８と、バス１９とを備える。
【００１９】
ＲＡＭ１２は、データを一時的に記憶する記憶装置である。
ＲＯＭ１３は、プログラムを記憶する記憶装置である。
ストレージ１４は、診断アプリケーションのプログラムと、診断アプリケーションによる処理において参照されるデータテーブルと、診断アプリケーションによる処理の実行結果に基づくデータと、を記憶する記憶装置である。例えば、ストレージ１４は、フラッシュメモリまたはハードディスクである。
ＣＰＵ１１は、ストレージ１４に記憶された診断アプリケーションのプログラムを実行することによって、診断アプリケーションの機能を実現する。
操作部１５は、例えば、キーボードやタッチパネル等の入力デバイスである。
表示部１６は、例えば、液晶ディスプレイ等の表示デバイスである。
通信インタフェース１８は、ホスト装置１０と、プリンタ３０との間の通信を制御する。
バス１９は、各部間で信号を伝送する。
【００２０】
（３）リライトカード（図３）
本実施形態のリライトカードについて説明する。図３は、本実施形態のリライトカードの外観を示す概略図である。
【００２１】
図３に示すように、リライトカードＲＷは、表面ＲＷ（Ｆ）に印字領域ＰＡを含み、裏面Ｂに磁気記録領域ＭＡを含む。
磁気記録領域ＭＡには、ユーザ（例えば、リライトカードＲＷの所有者）を識別するユーザＩＤが、磁気ストライプによって記録されている。
印字領域ＰＡには、ロイコ式、および、白濁式のいずれかの方式に従って、様々な情報（例えば、文字、画像など）が印字される。
なお、リライトカードＲＷは、ユーザＩＤを記憶可能なＲＦタグを備えてもよい。
また、リライトカードＲＷは、ユーザＩＤを含む様々なデータ（例えば、本実施形態の情報処理に用いられるデータテーブル）を記憶可能なＩＣチップを備えてもよい。
【００２２】
（４）プリンタの構成（図４〜図５）
本実施形態のプリンタの構成について説明する。図４は、本実施形態のプリンタの外観を示す概略図である。図５は、本実施形態のプリンタの構成を示すブロック図である。
【００２３】
図４に示すように、プリンタ３０の上面には、操作部３２と、表示部３３と、が設けられている。また、プリンタ３０の前面には、カードスロット３７が設けられている。
図５に示すように、プリンタ３０は、プリンタコントローラ３１と、操作部３２と、表示部３３と、サーマルヘッド３４と、磁気ヘッド３５と、通信インタフェース３８と、バス３９と、を備える。
プリンタコントローラ３１は、ＭＰＵ（Micro Processor Unit）３１０と、ＲＡＭ３１２と、ＲＯＭ３１３と、サーマルヘッド駆動回路３１４と、磁気ヘッド駆動回路３１５と、を備える。
【００２４】
ＲＡＭ３１２は、データを一時的に記憶する記憶装置である。
ＲＯＭ３１３は、プリンタ３０の各部を制御するファームウェアを記憶する記憶装置である。
ＭＰＵ３１０は、ＲＯＭ３１３に記憶されたファームウェアを実行することによって、ファームウェアの機能を実現する。
サーマルヘッド駆動回路３１４は、ファームウェアによる制御に従って、サーマルヘッド３４に、印字動作または消去動作の制御信号を与える。
サーマルヘッド３４は、サーマルヘッド駆動回路３１４によって印字動作または消去動作の制御信号が与えられると、カードスロット３７に挿入されたリライトカードＲＷの表面ＲＷ（Ｆ）の印字領域ＰＡに所定温度の熱を加えることによって、印字領域ＰＡに印字された情報の消去、または、印字領域ＰＡへの情報の印字を行う。サーマルヘッド３４は、ロイコ式、および、白濁式のいずれの方式にも対応可能である。
磁気ヘッド駆動回路３１５は、ファームウェアによる制御に従って、磁気ヘッド３５に、読取動作の制御信号を与える。
磁気ヘッド３５は、磁気ヘッド駆動回路３１５によって読取動作の制御信号が与えられると、カードスロット３７に挿入されたリライトカードＲＷの裏面ＲＷ（Ｂ）の磁気記録領域ＭＡに記録されたユーザＩＤを読み取る。
操作部３２は、例えば、キーボードやタッチパネル等の入力デバイスである。
表示部３３は、例えば、液晶ディスプレイ等の表示デバイスである。
通信インタフェース３８は、ホスト装置１０とプリンタ３０との間の通信を制御する。
バス３９は、各部間で信号を伝送する。
【００２５】
ホスト装置１０のＲＡＭ１２、ＲＯＭ１３、および、ストレージ１４、ならびに、プリンタ３０のＲＡＭ３１２およびＲＯＭ３１３は、「記憶装置」の一例である。
なお、記憶装置は、情報処理装置（ホスト装置１０およびプリンタ３０の少なくとも１つ）に内蔵されたものであってもよいし、情報処理装置から有線または無線でアクセス可能に構成された外部の装置であってもよい。
また、磁気ヘッド駆動回路３１５および磁気ヘッド３５は、ホスト装置１０と通信可能に接続された、プリンタ３０とは異なる装置（例えば、カードリーダ）に設けられてもよい。
【００２６】
（５）データテーブルの構成（図６〜図７）
ホスト装置１０のストレージ１４に記憶される各データテーブルの構成について説明する。
【００２７】
（５−１）ユーザデータテーブル（図６）
本実施形態のユーザデータテーブルの構成について説明する。図６は、本実施形態のユーザデータテーブルの構成例を示す図である。
【００２８】
図６のユーザデータテーブルの各レコード（以下「ユーザレコード」という）には、ユーザに関する情報（以下「ユーザ情報」という）が格納される。
ユーザデータテーブルは、「ユーザＩＤ」フィールドと、「ユーザ名」フィールドと、「生年月日」フィールドと、「基準スコア」フィールドと、を含む。
【００２９】
「ユーザＩＤ」フィールドには、ユーザレコードを特定する主キーであるユーザＩＤ（ユーザ情報の一例）が格納される。
【００３０】
「ユーザ名」フィールドには、ユーザが任意に設定したユーザ名を示すテキストが格納される。
【００３１】
「生年月日」フィールドには、ユーザの生年月日を示す値（年齢情報の一例）が格納される。
【００３２】
「基準スコア」フィールドには、ユーザの生年月日とユーザレコードの更新日との差（つまり、ユーザレコードの更新日の時点でのユーザの年齢）によって決まる基準スコアを示す値が格納される。「基準スコア」とは、年齢別の平均スコア（例えば、統計的な平均スコア、または、ユーザデータテーブルの「スコア」フィールドの値と、「生年月日」フィールドの値およびホスト装置１０に内蔵された時計の値の差（つまり、情報処理の実行日におけるユーザの年齢）毎の平均値である。年齢が上がるほど、基準スコアも上がる。「基準スコア」フィールドの値は、診断アプリケーションによって、ユーザデータテーブルにアクセスされる度に、ホスト装置１０に内蔵された時計の値と「生年月日」フィールドの値とに基づいて更新される。
【００３３】
（５−２）履歴データテーブル（図７）
本実施形態の履歴データテーブルの構成について説明する。図７は、本実施形態の履歴データテーブルの構成例を示す図である。
【００３４】
図７の履歴データテーブルの各レコード（以下「履歴レコード」という）には、ユーザ毎に、ロコモティブシンドロームに関するスコアの履歴を示す情報（以下「履歴情報」という）が格納される。なお、履歴データテーブルは、ユーザＩＤに対応付けられている（つまり、履歴データテーブルは、ユーザ毎に設けられる）。
履歴データテーブルは、「履歴ＩＤ」フィールドと、「日付」フィールドと、「スコア」フィールドと、を含む。
【００３５】
「履歴ＩＤ」フィールドには、履歴レコードを特定する主キーである履歴ＩＤ（履歴を識別する履歴識別情報の一例）が格納される。
【００３６】
「日付」フィールドには、履歴の日付を示す情報が格納される。
【００３７】
「スコア」フィールドには、ロコモティブシンドロームに関するテストによって決定されるスコアが格納される。「テスト」とは、「社団法人日本整形外科学会」によって定められている「ロコモ２５」という問診テストである。この問診テストは、複数の質問を含んでいる。問診テストに対する回答は、複数の質問のそれぞれについて、複数の選択肢の中から１つの選択肢を指定することによって行われる。「スコア」とは、ロコモティブシンドロームのレベルを示す指標である。スコアは、問診テストに対する回答（つまり、ユーザによって指定された選択肢）によって決まる。スコアが高いほど、ロコモティブシンドロームのレベル（つまり、運動機能の低下の程度）が大きいことを示している。
【００３８】
（６）本実施形態の診断処理のフロー（図８〜図１０）
本実施形態の診断処理の一例について説明する。図８は、本実施形態の診断処理のシーケンス図である。図９は、本実施形態の印字処理においてホスト装置１０に表示される画面の一例を示す図である。図１０は、本実施形態の診断処理においてリライトカードに印字される情報の一例を示す図である。
【００３９】
以下の診断処理において、ホスト装置１０による処理は、診断アプリケーションによって実行され、プリンタ３０による処理はファームウェアによって実行される。
【００４０】
はじめに、プリンタ３０は、ユーザＩＤを読み取る（Ｓ３００）
例えば、ユーザがカードスロット３７にリライトカードＲＷを挿入すると、ファームウェアは、磁気ヘッド駆動回路３１５に読取動作の制御信号を生成させる。磁気ヘッド３５は、磁気ヘッド駆動回路３１５によって生成された読取動作の制御信号に従って、リライトカードＲＷの裏面ＲＷ（Ｂ）の磁気記録領域ＭＡに記録されたユーザＩＤを読み取る。ファームウェアは、磁気ヘッド３５によって読み取られたユーザＩＤを、通信インタフェース３８を介して、ホスト装置１０へ送信する。
【００４１】
ホスト装置１０は、プリンタ３０から送信されたユーザＩＤを受信すると、ユーザ情報および履歴情報を読み出す（Ｓ１００）。
例えば、診断アプリケーションは、Ｓ３００においてプリンタ３０から送信されたユーザＩＤに対応するユーザレコードおよび履歴データテーブルをＲＡＭ１２に格納する。
【００４２】
次に、ホスト装置１０は、回答情報を受け付ける（Ｓ１０２）。
例えば、診断アプリケーションは、画面Ｇ１０（図９）を表示部１６に表示する。
画面Ｇ１０は、表示領域Ａ１００およびＡ１０１と、「ＦＩＮＩＳＨ」ボタンＢ１０５と、を含む。
表示領域Ａ１００には、問診テストに含まれる複数の質問が表示される。
表示領域Ａ１０１には、問診テストに含まれる質問毎に、質問に対する回答の選択肢０〜４のいずれかを選択するときに指定されるボタンＢ１００〜Ｂ１０４と、回答を終了するときに指定される「ＦＩＮＩＳＨ」ボタンＢ１０５と、が表示される。ボタンＢ１００〜Ｂ１０４は、それぞれ、問診テストに含まれる質問に対する回答としての複数の選択肢のいずれかの選択肢に割り当てられた配点に関連付けられている。
ユーザが、操作部１５を操作して、すべての質問についてボタンＢ１００〜Ｂ１０４のいずれかを指定した後、「ＦＩＮＩＳＨ」ボタンＢ１０５を指定すると、診断アプリケーションは、ユーザによって指定されたボタンＢ１００〜Ｂ１０４のいずれかに関連付けられた配点を、質問を識別する情報（例えば、質問ＩＤ）に対応付けてＲＡＭ１２に格納する。
【００４３】
例えば、問診テストは、「家の中を歩くのはどの程度困難ですか？」という質問を含んでいる。
当該質問に対する回答の選択肢は、「選択肢０：困難でない」、「選択肢１：少し困難」、「選択肢２：中程度困難」、「選択肢３：かなり困難」、および、「選択肢４：ひどく困難」である。選択肢０〜選択肢４には、それぞれ、０〜４点の配点が割り当てられている。画面Ｇ１０のボタンＢ１００〜Ｂ１０４は、それぞれ、これらの選択肢０〜選択肢４に割り当てられた配点（つまり、０〜４点）に関連付けられている。
例えば、ユーザが「選択肢３」を選択するためにボタンＢ１０３を指定すると、診断アプリケーションは、ボタンＢ１０３に関連付けられた配点（３点）を、質問ＩＤに対応づけてＲＡＭ１２に格納する。
ユーザが全ての質問に対してボタンＢ１００〜Ｂ１０４のいずれかを選択すると、ＲＡＭ１２には、各質問を識別する質問ＩＤに対応する配点が格納される。
【００４４】
次に、ホスト装置１０は、スコアを計算する（Ｓ１０４）。
例えば、診断アプリケーションは、Ｓ１０２においてＲＡＭ１２に格納された各質問ＩＤに対応する配点の合計値を、スコアとして計算する。次に、診断アプリケーションは、計算されたスコアをＲＡＭ１２に格納する。
【００４５】
次に、ホスト装置１０は、履歴情報を更新する（Ｓ１０６）。
例えば、診断アプリケーションは、Ｓ１０２においてＲＡＭ１２に格納された履歴データテーブルに、新たな履歴レコードを追加する。新たな履歴レコードの「履歴ＩＤ」フィールドには新たな履歴ＩＤが格納され、「日付」フィールドには診断処理の実行日を示す情報が格納され、「スコア」フィールドにはＳ１０４においてＲＡＭ１２に格納されたスコアが格納される。次に、診断アプリケーションは、新たな履歴レコードを含む履歴データテーブルをストレージ１４に記憶する。これにより、履歴情報が更新される。
【００４６】
次に、ホスト装置１０は、画面表示を行う（Ｓ１０８）。
例えば、診断アプリケーションは、画面Ｇ１１（図９）を表示部１６に表示する。
画面Ｇ１１には、表示領域Ａ１１０と、リライトカードＲＷへの印字を指示するための印字指示を行うときに指定される「ＹＥＳ」ボタンＢ１１０と、診断処理を終了するための終了指示を行うときに指定される「ＮＯ」ボタンＢ１１１と、が表示される。
表示領域Ａ１１０には、Ｓ１０４において計算されたスコアが表示される。
ユーザが「ＹＥＳ」ボタンＢ１１０を指定すると、診断アプリケーションは、印字指示を受け付ける（Ｓ１０９−ＹＥＳ）。印字指示が受け付けられると、Ｓ１１０以降の処理が実行される。
一方、ユーザが「ＮＯ」ボタンＢ１１１を指定すると、診断アプリケーションは、終了指示を受け付ける（Ｓ１０９−ＮＯ）。終了指示が受け付けられると、Ｓ１１０以降の処理は実行されずに、診断処理が終了する。
【００４７】
印字指示が受け付けられると（Ｓ１０９−ＹＥＳ）、ホスト装置１０は、グラフ画像を生成する（Ｓ１１０）。
例えば、診断アプリケーションは、Ｓ１０６においてＲＡＭ１２に格納された履歴データテーブルの「日付」フィールドの値を横軸とし、「スコア」フィールドの値を縦軸とするグラフ画像を生成する。次に、診断アプリケーションは、Ｓ１０２においてＲＡＭ１２に格納されたユーザレコードの「基準スコア」フィールドの値を示す直線の画像を、生成されたグラフ画像に追加する。
【００４８】
次に、ホスト装置１０は、印字用データをプリンタ３０へ送信する（Ｓ１１２）。
例えば、診断アプリケーションは、Ｓ１１０において生成されたグラフ画像と、Ｓ１０２においてＲＡＭ１２に格納されたユーザレコードの「ユーザ名」フィールドのテキストと、を含むデータ（以下「印字用データ」という）を、通信インタフェース１８を介して、プリンタ３０へ送信する。
【００４９】
プリンタ３０は、ホスト装置１０から送信された印字用データを受信すると、リライトカードＲＷの表面ＲＷ（Ｆ）の印字領域ＰＡに印字された情報を消去する（Ｓ３０２）。
例えば、ファームウェアは、サーマルヘッド駆動回路３１４に消去動作の制御信号を生成させる。サーマルヘッド３４は、サーマルヘッド駆動回路３１４によって生成された消去動作の制御信号に従って、カードスロット３７に挿入されたリライトカードＲＷの表面ＲＷ（Ｆ）の印字領域ＰＡに所定温度の熱を加える。これにより、印字領域ＰＡに印字された情報が消去される。
なお、リライトカードＲＷの表面ＲＷ（Ｆ）の印字領域ＰＡに情報が印字されていない場合、Ｓ３０２は省略可能である。
【００５０】
次に、プリンタ３０は、リライトカードＲＷの表面ＲＷ（Ｆ）の印字領域ＰＡに情報を印字する（Ｓ３０４）。
例えば、ファームウェアは、サーマルヘッド駆動回路３１４に印字動作の制御信号を生成させる。サーマルヘッド３４は、サーマルヘッド駆動回路３１４によって生成された印字動作の制御信号に従って、Ｓ１１２において送信された印字用データを用いて、カードスロット３７に挿入されたリライトカードＲＷの表面ＲＷ（Ｆ）の印字領域ＰＡに所定温度の熱を加える。これにより、図１０に示すように、リライトカードＲＷの表面ＲＷ（Ｆ）の印字領域ＰＡに、ユーザ名「Ｕ１」と、スコアの履歴を示すグラフ画像ＧＩと、基準スコアを示す基準画像ＲＩと、が印字される。
【００５１】
（７）本実施形態の変形例
本実施形態の変形例について説明する。
本実施形態では、診断アプリケーションが問診テストに対する回答に基づいてスコアを計算する例を説明したが、スコアの計算に用いられる情報は問診テストに対する回答に限られない。
例えば、診断アプリケーションは、ホスト装置１０またはプリンタ３０の少なくとも１つに接続された計測装置によって得られた情報に基づいて、スコアを計算してもよい。
【００５２】
計測装置は、例えば、公益社団法人日本整形外科学会によって定められた「立ち上がりテスト」（１０ｃｍ〜４０ｃｍの台のそれぞれから立ち上がることができるか否か）の結果を計測する装置である。この場合、診断アプリケーションは、「立ち上がりテスト」の結果（例えば、立ち上がることができた台の高さ）と、「生年月日」フィールドの値（つまり、ユーザの年齢）と、に基づいて、スコアを計算する。
【００５３】
また、計測装置は、公益社団法人日本整形外科学会によって定められた「２ステップテスト」の結果（２歩幅）を計測する装置であってもよい。この場合、診断アプリケーションは、「２ステップテスト」の結果（つまり、２歩幅）と、「生年月日」フィールドの値（つまり、ユーザの年齢）と、に基づいて、スコアを計算する。
【００５４】
また、計測装置は、人体の左側の荷重と、人体の右側の荷重と、を計測する装置であってもよい。この場合、診断アプリケーションは、左側の荷重と右側の荷重の比率、および、「生年月日」フィールドの値（つまり、ユーザの年齢）に基づいて、スコアを計算する。
【００５５】
（８）本実施形態の小括
以下、本実施形態について小括する。
【００５６】
本実施形態の印字システム１は、ユーザＩＤに対応する履歴データテーブルを記憶するストレージ１４を備えるホスト装置１０と、ホスト装置１０に接続され、かつ、ユーザＩＤが記録されたリライトカードＲＷに情報を印字するプリンタ３０と、を含む。プリンタ３０またはホスト装置１０は、リライトカードＲＷに記録されたユーザＩＤを読み取る磁気ヘッド３５を備える。診断アプリケーションは、磁気ヘッド３５によって読み取られたユーザＩＤに対応する履歴データテーブルを参照して、スコアの履歴を示すグラフ画像ＧＩを生成する。プリンタ３０は、診断アプリケーションによって生成されたグラフ画像ＧＩをリライトカードＲＷの表面ＲＷ（Ｆ）の印字領域ＰＡに印字するサーマルヘッド３４を備える。
これにより、ユーザに、ロコモティブシンドロームに関するスコアの履歴を視覚的に伝えることができる。その結果、ユーザ（つまり、患者）に対して、ロコモティブシンドロームを改善するための行動を十分に促すことができる。
【００５７】
また、本実施形態の診断アプリケーションは、問診テストに対するユーザの回答に応じて、スコアを計算する。また、診断アプリケーションは、計算されたスコアを用いて、回答を行ったユーザを識別するユーザＩＤに対応する履歴データテーブルを更新する。
これにより、問診テスト、スコアの計算、スコアの履歴の管理、および、グラフ画像の印字を一括して行うことができる。
【００５８】
また、本実施形態のストレージ１４には、ユーザＩＤに対応するユーザの年齢を示す年齢情報が記憶されている。診断アプリケーションは、磁気ヘッド３５によって読み取られたユーザＩＤに対応する年齢情報を参照して、ユーザＩＤによって識別されるユーザの年齢に応じた基準スコアを示す基準画像を含むグラフ画像を生成する。
これにより、ユーザに、スコアの履歴と基準スコアとの差を視覚的に伝えることができる。
また、基準スコアは、ユーザの生年月日とユーザレコードの更新日との差（つまり、ユーザレコードの更新日の時点でのユーザの年齢）によって決定されるが、予め設定した年齢に達すると基準スコア値が更新され、基準スコアを示す基準画像ＲＩを変更して印字することができる。
【００５９】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態および変形例は、組合せ可能である。
【符号の説明】
【００６０】
１０          ：ホスト装置
１１          ：ＣＰＵ
１２          ：ＲＡＭ
１３          ：ＲＯＭ
１４          ：ストレージ
１５          ：操作部
１６          ：表示部
１８          ：通信インタフェース
１９          ：バス
３０          ：プリンタ
３１          ：コントローラ
３２          ：操作部
３３          ：表示部
３４          ：サーマルヘッド
３５          ：磁気ヘッド
３７          ：カードスロット
３８          ：通信インタフェース
３９          ：バス
３１０        ：ＭＰＵ
３１２        ：ＲＡＭ
３１３        ：ＲＯＭ
３１４        ：サーマルヘッド駆動回路
３１５        ：磁気ヘッド駆動回路
ＲＷ          ：リライトカード
【図１】
2016110170.tif 000003
【図２】
2016110170.tif 000004
【図３】
2016110170.tif 000005
【図４】
2016110170.tif 000006
【図５】
2016110170.tif 000007
【図６】
2016110170.tif 000008
【図７】
2016110170.tif 000009
【図８】
2016110170.tif 000010
【図９】
2016110170.tif 000011
【図１０】
2016110170.tif 000012